(57)【要約】【課題】組付け作業が楽で且つ低コスト化が実現でき、一旦組み付けられれば構成部品が脱落し難い組合せ釣具を提供する。【解決手段】中央に主軸部2を配して、主軸部2の両端に先端へ向けて先細りの中実軸部3を延設した樹脂製軸状体とし、且つ主軸部2の外周面21から半径方向に深穴20が形成され、さらに深穴20が該主軸部2の軸長手方向に溝状に形成される釣用基軸部材1と、本体主部に、少なくとも一端側中実軸部3Rの軸径3D以上に孔径dを大きくし、且つ主軸部2に係る軸長手方向の中間部位22における軸径2D1よりも孔径dを小さくした貫通孔50が設けられ、さらに外周面51から貫通孔50に達する割り溝52が設けられる釣具本体5と、を具備し、貫通孔50へ基軸部材1を一端側中実軸部3Rから挿入し、深穴20の穴幅20Wが狭まるよう主軸部2を弾性変形させて、前記中間部位22における軸径2D1を小さくすることにより主軸部2が釣具本体5に挿着される。【選択図】図１
2012115147.tif 000002
【特許請求の範囲】
【請求項１】
中央に主軸部(2)を配して、該主軸部(2)の両端に、先端へ向けて先細りの中実軸部(3)を延設した樹脂製軸状体とし、且つ該主軸部(2)に、その外周面(21)から半径方向に深穴(20)が形成され、さらに該深穴(20)が該主軸部(2)の軸長手方向に溝状に形成される釣用基軸部材(1)と、
本体主部に、少なくとも一端側中実軸部(3R)の軸径(3D)以上に孔径(d)を大きくし、且つ前記主軸部(2)に係る軸長手方向の中間部位(22)における軸径(2D1)よりも孔径(d)を小さくした貫通孔(50)が設けられ、さらに外周面(51)から該貫通孔(50)に達する割り溝(52)が設けられる釣具本体(5)と、を具備し、
該貫通孔(50)へ前記基軸部材(1)を一端側中実軸部(3R)から挿入し、前記深穴(20)の穴幅(20W)が狭まるよう前記主軸部(2)を弾性変形させて、前記中間部位(22)における軸径(2D1)を小さくすることにより、該主軸部(2)が該釣具本体(5)に挿着されると共に、該主軸部(2)が弾性復元して、該釣具本体(5)に該基軸部材(1)が係止一体化されてなることを特徴とする組合せ釣具。
【請求項２】
前記一端側中実軸部(3R)の軸径(3D)よりも前記主軸部(2)の軸径(2D)の方を大きくして、該中実軸部から該主軸部へ段差を形成してつながる基軸部材(1)とし、さらに該基軸部材(1)と前記釣具本体(5)とを別体にして、該釣具本体(5)に該基軸部材(1)が着脱自在に係止一体化されてなる請求項１記載の組合せ釣具。
【請求項３】
前記深穴(20)が主軸部(2)の両端末部分(26)を残して平面視細長トラック状に形成され、さらに該端末部分(26)の表面から軸半径方向に向かって前記中実軸部(3)の基端部分(31)へ近接するか又は該基端部分(31)に達する深い切欠溝(271)を設け、且つ該端末部分(26)の表面に、該切欠溝(271)で深穴(20)側と中実軸部(3)側とをつなぐ凹み(27)を形成する請求項２記載の組合せ釣具。
【請求項４】
前記貫通孔(50)へ前記基軸部材(1)が挿入される一端側中実軸部(3R)とは反対側の他端側中実軸部(3H)で、該他端側中実軸部(3H)につながる前記主軸部(2)の端部分(29)又は他端側中実軸部(3H)寄りの前記主軸部(2)に、該主軸部(2)の中間部位(22)における軸径(2D1)よりも外径が大きな大径部分(28)をさらに設けた請求項１乃至３のいずれか一項に記載の組合せ釣具。
【発明の詳細な説明】
【技術分野】
【０００１】
本発明は、オモリやウキ等の釣具本体と基軸部材の組合せ釣具に関する。
【背景技術】
【０００２】
オモリやウキ等の釣具本体に、その両端から角状軸部を突出させた釣具が用いられる場合がある。この種の釣具は、釣糸に通しておいた二つの浮きゴムへ両軸部を差し込んで、該釣具の取付け,取り外し作業を容易にする。浮きゴムによる釣具の固定であるため、釣糸を傷つけず、さらに釣糸を切らずにオモリやウキを交換できるメリットがある。
こうしたなか、本出願人も錘り兼用ストッパとして組合せ釣具を提案している（特許文献１）。
【先行技術文献】
【特許文献】
【０００３】
【特許文献１】特開２０００−１６６４４８号公報（実施形態２、図３、図４）
【発明の開示】
【発明が解決しようとする課題】
【０００４】
しかるに、特許文献１の釣具は、以下のような問題があった。錘５Ｓに直径2mm前後で、長さ7〜8mm程度の小さな短軸体９１を錘に組付け固定しなければならず、その固定作業に難儀した(図１６)。短軸体９１は釣具本体５の両端二ヶ所に要し、部品点数も増え、作業コスト,接着剤の材料コストを上昇させた。さらに、図１６のごとく錘５Ｓ(又は浮き)の釣具本体５に樹脂製短軸体９１を接着固定しても、接着強度が弱く、使用中に釣具本体５から該短軸体９１が外れる虞もある。さらにいえば、図１６のような錘り兼用ストッパは、錘５Ｓの両端に短軸体９１がそれぞれ接着固定されるため、短軸体９１を共用できなかった。
ネジによる螺着も考えられるが(例えば特開平１１−１８６４９号公報)、海水中でネジが緩む虞がある。一方、釣具本体５が錘５Ｓである場合、真鍮等で丸棒からの削り出しで製作することも可能である。しかし、短軸体９１のつのを製作するには切削に多くの時間を費やさねばならず、また多くの材料が削られる問題もある。
【０００５】
本発明は、上記問題を解決するもので、組付け作業が楽で且つ低コスト化が実現でき、一旦組み付けられれば浮きや錘の構成部品が脱落し難く、さらに浮きや錘を着脱自在に交換可能な組合せ釣具を提供することを目的とする。
【課題を解決するための手段】
【０００６】
上記目的を達成すべく、請求項１に記載の発明の要旨は、中央に主軸部(2)を配して、該主軸部(2)の両端に、先端へ向けて先細りの中実軸部(3)を延設した樹脂製軸状体とし、且つ該主軸部(2)に、その外周面(21)から半径方向に深穴(20)が形成され、さらに該深穴(20)が該主軸部(2)の軸長手方向に溝状に形成される釣用基軸部材(1)と、本体主部に、少なくとも一端側中実軸部(3R)の軸径(3D)以上に孔径(d)を大きくし、且つ前記主軸部(2)に係る軸長手方向の中間部位(22)における軸径(2D1)よりも孔径(d)を小さくした貫通孔(50)が設けられ、さらに外周面(51)から該貫通孔(50)に達する割り溝(52)が設けられる釣具本体(5)と、を具備し、該貫通孔(50)へ前記基軸部材(1)を一端側中実軸部(3R)から挿入し、前記深穴(20)の穴幅(20W)が狭まるよう前記主軸部(2)を弾性変形させて、前記中間部位(22)における軸径(2D1)を小さくすることにより、該主軸部(2)が該釣具本体(5)に挿着されると共に、該主軸部(2)が弾性復元して、該釣具本体(5)に該基軸部材(1)が係止一体化されてなることを特徴とする組合せ釣具にある。
請求項２の発明たる組合せ釣具は、請求項１で、一端側中実軸部(3R)の軸径(3D)よりも前記主軸部(2)の軸径(2D)の方を大きくして、該中実軸部から該主軸部へ段差を形成してつながる基軸部材(1)とし、さらに該基軸部材(1)と前記釣具本体(5)とを別体にして、該釣具本体(5)に該基軸部材(1)が着脱自在に係止一体化されてなることを特徴とする。請求項３の発明たる組合せ釣具は、請求項２で、深穴(20)が主軸部(2)の両端末部分(26)を残して平面視細長トラック状に形成され、さらに該端末部分(26)の表面から軸半径方向に向かって前記中実軸部(3)の基端部分(31)へ近接するか又は該基端部分(31)に達する深い切欠溝(271)を設け、且つ該端末部分(26)の表面に、該切欠溝(271)で深穴(20)側と中実軸部(3)側とをつなぐ凹み(27)を形成することを特徴とする。請求項４の発明たる組合せ釣具は、請求項１〜３で、貫通孔(50)へ前記基軸部材(1)が挿入される一端側中実軸部(3R)とは反対側の他端側中実軸部(3H)で、該他端側中実軸部(3H)につながる前記主軸部(2)の端部分(29)又は他端側中実軸部(3H)寄りの前記主軸部(2)に、該主軸部(2)の中間部位(22)における軸径(2D1)よりも外径が大きな大径部分(28)をさらに設けたことを特徴とする。
【発明の効果】
【０００７】
本発明の組合せ釣具は、糸を傷つけることなく短時間で簡単に交換でき、また、ウキとオモリの併用も可能にして脱落防止に優れ、さらに浮きや錘を着脱自在に交換でき、しかも、低コスト生産が可能になるなど多大な効を奏する。
【図面の簡単な説明】
【０００８】
【図１】実施形態１で、基軸部材と釣具本体とを組付け、両者を係止一体化させた組合せ釣具の斜視図である。
【図２】図１の基軸部材の斜視図である。
【図３】図２の竿側基軸部材周りの部分拡大図で、（イ）がその平面図、（ロ）が正面図、（ハ）が左側面図、（ニ）が（ロ）のIII-III線矢視図である。
【図４】図２の釣針側基軸部材周りの部分拡大図で、（イ）がその平面図、（ロ）が正面図、（ハ）が右側面図、（ニ）が（ロ）のIV-IV線矢視図である。
【図５】釣糸に挿通した弾性短筒体に基軸部材を取付ける説明斜視図である。
【図６】釣糸に挿通した弾性短筒体に基軸部材を取付けた説明斜視図である。
【図７】図６の釣糸に釣具本体を取付ける斜視図である。
【図８】図１のVIII-VIII線矢視図である。
【図９】図１に代わる他態様の組合せ釣具の斜視図である。
【図１０】図１,図９に代わる他態様の組合せ釣具の斜視図である。
【図１１】図１,図９,図１０に代わる他態様の組合せ釣具の斜視図である。
【図１２】実施形態２で、基軸部材と釣具本体とを組付け、両者を係止一体化させた組合せ釣具の斜視図である。
【図１３】実施形態１の基軸部材に代わる他態様の基軸部材の平面図である。
【図１４】図１３の基軸部材とはまた別態様の基軸部材と釣具本体とを組付け、両者を係止一体化させた組合せ釣具の斜視図である。
【図１５】図１４で用いた基軸部材の斜視図である。
【図１６】従来技術の説明斜視図である。
【発明を実施するための形態】
【０００９】
以下、本発明に係る組合せ釣具について詳述する。
（１）実施形態１
（１−１）構成
図１〜図１１は本発明の組合せ釣具の一形態で、図１は組合せ釣具の斜視図、図２は図１の基軸部材の斜視図、図３は図２の竿側基軸部材周りの部分拡大図で、（イ）がその平面図、（ロ）が正面図、（ハ）が左側面図、（ニ）が（ロ）のIII-III線矢視図である。図４は図２の釣針側基軸部材周りの部分拡大図で、（イ）がその平面図、（ロ）が正面図、（ハ）が右側面図、（ニ）が（ロ）のIV-IV線矢視図である。図５,図６は釣糸に挿通した弾性短筒体に基軸部材を取付ける説明斜視図、図７は図６の釣糸に釣具本体を取付ける斜視図、図８は図１のVIII-VIII線矢視図、図９〜図１１は図１に代わる他態様の組合せ釣具の斜視図である。
【００１０】
組合せ釣具は、釣用基軸部材１と釣具本体５とを具備する(図１)。本実施形態は、釣具本体５に図７に示す円筒状タイプの釣り用錘５Ｓ(以下、単に「錘」という。)に適用する。
【００１１】
基軸部材は、中央(真ん中)に主軸部２を配して、該主軸部２の両端に、先端へ向けて先細りの中実軸部３を延設した合成樹脂製軸状体である(図２)。中実軸部３の先端を先細りの突端部分３３にして、ゴム短管等からなる図５のような弾性短筒体６(通称、「浮きゴム」という)に挿着し易くする。一端側が竿側中実軸部３Ｒで、他端側が釣針側中実軸部３Ｈになり、両者は同形状とする。中実軸部３は、図３のごとく主軸部２からまず軸径３Ｄ,長さＬ３の基端部分３１が突出し、さらに該基端部分３１から先端に向け先細りの突端部分３３がＬ４の長さで延びる。基軸部材１の材料は機械的強度大の例えばポリアセタール樹脂が採用される。釣具本体５から基軸部材１が突出する図１の組合せ釣具の状態で使用することから、岩などに基軸部材１が当たっても破損しないようにするためである。
【００１２】
主軸部２には、その外周面２１から半径方向に横断面Ｕ字状の深穴２０が形成され、さらに該深穴２０が主軸部２の軸長手方向に沿って溝状に形成される。深穴２０は、主軸部２の両端近くまで細長い溝状に形成される。図３(ロ),図４(ロ)で、主軸部２は、二点鎖線を含めた丸軸状態から同図の上面側二点鎖線の横断面弓形部分が削り取られ、さらに該弓形部分に係る弦の部分から下方に削り取って上面開口の深溝が形成された格好になっている。弦の部分(上面開口)地点から主軸部２の中心を越える深い横断面Ｕ字状の深穴２０が形成される(図３のニ)。
【００１３】
本実施形態の基軸部材１は、樹脂成形品で、主軸部２の軸方向の両端末部分２６を残して、該主軸部の軸方向全域に溝状深穴２０が形成される。両端末部分２６だけ中実軸状に残して、深穴２０が主軸部２に図２〜図４のような平面視細長トラック状に形成される。
組合せ釣具が釣糸７に取付けられた状態下、竿側になる一端側中実軸部３Ｒと深穴２０との間に在る主軸部２に係る中実部分、すなわち端末部分２６の中実軸径２Ｄ３が、該貫通孔５０の孔径ｄ以下に小さく設定される。端末部分２６が円滑に貫通孔５０を貫通して、主軸部２に釣具本体５を取付けられるよう、端末部分２６の軸径２Ｄ３は、貫通孔５０の孔径ｄよりも小さく設定されるのがより好ましい。一端側(竿側)中実軸部３Ｒにつながる主軸部２の端部分は、釣具本体５の貫通孔５０の孔径ｄ以下の軸径からなる小さな先細部分２５にする。図３のごとく軸長さＬ２で軸径２Ｄ３の先細部分２５とする。主軸部２の中央から該先細部分２５へは、軸径が、貫通孔５０の孔径ｄよりも大きな中間部位２２の主軸部２側から、徐々に小さくなるテーパ部分２４を設ける。ここでは、長さＬ１のテーパ部分とする。テーパ部分２４と該先細部分２５の境界ラインを越えて、図３のごとく中実部分たる端末部分２６まで深穴２０の溝端が入り込んでいる。
【００１４】
一方、他端側(釣針側)中実軸部３Ｈにつながる主軸部２の端部分２９（又は他端側中実軸部３Ｈ寄りの主軸部２）に、該主軸部２の中間部位２２における軸径２Ｄ１よりも外径が一回り大きな図４ごとくのストッパ用大径部分２８を設ける。主軸部２に挿着,係止された釣具本体５たる錘５Ｓが、万一、何かの拍子で他端側(釣針側)中実軸部３Ｈへ移動しても、大径部分２８がストッパになり主軸部２に止めることができる。また大径部分２８は、この部分を摘んで錘５Ｓの基軸部材１への取付け,取外しを容易にする。取付け,取外し時に大径部分２８を手で摘み易くすべく、該大径部分２８の外周面には軸方向に向けて波状に形成される。尚、大径部分２８の過半部にまで深穴２０の釣針側溝端が入り込むようにしている。
そうして、テーパ部分２４から該大径部分２８までの主軸部２の主部分は、主軸部２の中間部位２２を含めて、その軸径を一定とする。テーパ部分２４から該大径部分２８までの区間の軸太さを、中間部位２２の軸径２Ｄ(弾性変形させる前の当初軸径２Ｄ１)に決めている(図８)。
【００１５】
また、前記両端末部分２６には、その表面から軸半径方向に向かって中実軸部３の基端部分３１へ近接するか又は該基端部分３１に達する深い切欠溝２７１が設けられる（図３,図４）。この切欠溝２７１を基軸部材１の軸方向に走らせ、両端末部分２６の表面に、切欠溝２７１で深穴２０側と中実軸部３側とをつなぐ凹み２７を形成する。本実施形態は、図３(ハ),図４(ハ)のごとく、中実軸部３の基端部分３１に達する切欠溝２７１,凹み２７を形成する。釣針側中実軸部３Ｈには端末部分２６を越えて主軸部２中央側にも大径部分２８が設けられているが、該大径部分２８の全域を切り欠いて、中実軸部３の基端部分３１に達する切欠溝２７１,凹み２７を形成する。
【００１６】
さらに、基軸部材１は、一端側中実軸部３Ｒの軸径３Ｄよりも主軸部２の軸径２Ｄの方を一回り大きくして、中実軸部３から主軸部２へ段差を形成してつながるようにする(図３)。ここでは、両中実軸部３,３の軸径３Ｄよりも中央に位置する主軸部２の軸径２Ｄを一回り大きくした軸状体にし、中実軸部３の基端部分３１につながる主軸部２の端に段差を形成する。中実軸部３に弾性短筒体６を被着すると、該弾性短筒体６の厚みが段差以下になるようにしている。中実軸部３に装着された図６の弾性短筒体６の筒外径は、次に述べる錘５Ｓに係る貫通孔５０の孔径ｄ以下に設定される。
【００１７】
釣具本体５たる錘５Ｓは、基軸部材１と別体とする。錘５Ｓの本体主部には、少なくとも一端側中実軸部３Ｒの軸径３Ｄ以上に孔径ｄを大きくし、且つ主軸部２に係る軸長手方向の中間部位２２における軸径２Ｄ１よりも孔径ｄを小さくした貫通孔５０が設けられる。ここでは、厚肉円筒形の錘５Ｓに係る本体主部に前記両中実軸部３の軸径３Ｄよりも孔径ｄを大きくし、且つ主軸部２に係る軸長手方向の中間部位２２における軸径２Ｄ１よりも孔径ｄを小さくした円筒孔たる貫通孔５０が設けられる。さらに錘５Ｓには、その外周面５１から該貫通孔５０に達する割り溝５２が設けられる。
【００１８】
錘５Ｓは、ステンレス鋼,真鍮等からなる所定重量を有する金属加工品で、横断面形状を、図８のように割り溝５２の部分を切り欠くＣ字状とする。割り溝５２の幅は、図７の白抜き矢印のごとく釣糸７９を貫通孔５０へ誘導するためのものであり、釣糸７９が通過できる幅があれば足りる。図面は分かり易くするため、該幅を強調して大きく描く。釣りを行う際は、円筒形錘５Ｓの筒長手方向長さを変化させて、重さが異なった数種類の重量の錘５Ｓが、適宜用意される。図１〜図８は筒長だけが異なる数種類の錘５Ｓのうち、一の錘５Ｓを図示したものである。各錘５Ｓは、いずれも円筒形となる筒中央に貫通孔５０が設けられ、さらに、円筒形外周面２１の周方向一箇所に、外周より貫通孔５０に至る縦割りの割り溝５２が設けられる。
【００１９】
貫通孔５０の孔径ｄは割り溝５２の幅よりも大きい。組合せ釣具として、錘５Ｓを複数有する場合、各錘５Ｓの各貫通孔５０に係る孔径ｄの寸法を等しくする。一の錘５Ｓで、貫通孔５０の孔径ｄが孔長手方向に変化し一定でない場合は、そのなかの最小孔径を、貫通孔５０の孔径ｄとみなす。本実施形態の貫通孔５０は、端面処理した開口端５０１を除いて、その孔径ｄを孔貫通方向に一定とする。
【００２０】
そうして、貫通孔５０へ基軸部材１を一端側中実軸部３Ｒから挿入し、深穴２０の穴幅２０Ｗが狭まるよう主軸部２を弾性変形させて、中間部位２２における軸径２Ｄ１を小さくすることにより、主軸部２が釣具本体５に挿着される。図８で、鎖線で示した主軸部２は、貫通孔５０への該主軸部の圧入で弾性変形し、中間部位２２における当初の軸径２Ｄ１から実線で示した貫通孔５０の孔径ｄに等しい外径２Ｄ２にまで小さくなる。と同時に、主軸部２が弾性復元して、釣具本体５に基軸部材１が係止一体化される組合せ釣具になる。さらに、本実施形態は基軸部材１と釣具本体５とを別体にして、釣具本体５に基軸部材１を着脱自在に係止一体化できる構成とする。
【００２１】
図９は図１〜図８に示した錘５Ｓに代わる他態様の錘５Ｓを用いた組合せ釣具で、該錘５Ｓを基軸部材１に係止一体化させた斜視図になっている。図９の釣具本体５たる錘５Ｓは、金属製芯管５３に球状の鉛製主要部５４を被着固定したものである。錘５Ｓには、本体主部(ここでは芯管５３)に、竿側中実軸部３Ｒの軸径３Ｄ以上に孔径ｄを大きくし、且つ中間部位２２における軸径２Ｄ１よりも孔径ｄを小さくした貫通孔５０が設けられる。さらに錘５Ｓの外周面５１から貫通孔５０に達する割り溝５２が設けられる。鉛製主要部５４及び芯管５３に、図９のごとく、錘５Ｓの外周面５１から貫通孔５０に達する半径方向に割り溝５２が同一面上で切り込まれる。
【００２２】
図１０は、また別態様の組合せ釣具の斜視図で、釣具本体５に浮き５Ｆを用いている。浮き５Ｆは半球状碗部５８の開口碗面を平板部５９で塞ぐ中空半球状体で、該平板部の中心部に貫通孔５０用孔壁がつくる管状部(図示せず)が起立し、且つ半球状碗部の外周面から貫通孔５０に達する割り溝５２が形成される。すなわち、本体主部に、竿側中実軸部３Ｒの軸径３Ｄ以上に孔径ｄを大きくし、且つ中間部位２２における軸径２Ｄ１よりも孔径ｄを小さくした貫通孔５０が設けられる。さらに外周面５１から貫通孔５０に達する割り溝５２が設けられる。
【００２３】
図１１は、図７に示した錘５Ｓで、軸方向の長さが異なるだけの錘５Ｓと、図１０に示した浮き５Ｆとを、基軸部材１に係止一体化させた斜視図である。基軸部材１の主軸部２を、図示のごとく複数個の釣具本体５が数珠つなぎに取付けられる長さにすれば、複数の釣具本体５を組付け一体化した組合せ釣具が出来る。図９〜図１１で、基軸部材１,釣具本体５の他の構成は、図１〜図８の説明記載と同様で、その説明を省く。
【００２４】
（１−２）効果
このように構成した組合せ釣具は、例えば次のようにして、釣糸７に該組合せ釣具を簡単に取付けることができる。まず、予め釣糸７に通しておいた一対の弾性短筒体６に、図５,図６のごとく両中実軸部３を挿着する。このとき、大径部分２８が在る他端側中実軸部３を釣針側にする。次いで、基軸部材１を取り付けた地点よりも竿側の釣糸７へ錘５Ｓを取り込む。釣糸７を割り溝５２から貫通孔５０へと誘導し、釣糸７が錘５Ｓの貫通孔５０を縦通するようにする(図７)。続いて、図７で説明すれば、錘５Ｓを斜め右上方の主軸部２側へ移動し、深穴２０の穴幅(20W)が狭まるよう主軸部２を弾性変形させて、主軸部２に釣具本体５を装着する。この装着と同時に、主軸部２が弾性復元し、その復元力で基軸部材１に釣具本体５が係止一体化され、釣糸７に組合せ釣具が取付けられる(図１)。いたって簡単にこの組合せ釣具を釣糸７に固定できる。
【００２５】
深穴２０を設けた樹脂製主軸部２が有する弾性圧縮に伴う弾性復元力の自律作用によって、錘５Ｓや浮き５Ｆを基軸部材１に一体化固定できる。特許文献１のような接着剤の材料コストはかからない。特開平１１−１８６４９号のようにネジを切る手間,労力負担もない。組付けは基軸部材１を一端側中実軸部３Ｒからの挿入時に、多少圧入するだけであり、その作業は極めて容易である。作業性向上だけでなく、特許文献１で二つ要した短軸体９１は基軸部材１の一点のみになって、部品点数が減り、且つ接着剤等もいらず、低コスト生産できる。
【００２６】
詳述すれば、中実軸部３が、文字通り中実でその軸部全体が樹脂で埋まった剛性軸部にして、且つ先端に向けて先細りになっているので、該中実軸部３へ弾性短筒体６を容易且つ確実に装着できる(図５,図６)。図６の状態から基軸部材１への釣具本体５(ここでは錘５Ｓ)の取付けも楽である。まず、該基軸部材１よりも竿側の釣糸７を、釣具本体５の貫通孔５０へ導くが(図７)、割り溝５２を利用して楽にできる。次に、貫通孔５０へ基軸部材１を竿側中実軸部３Ｒから挿入するが、貫通孔５０は竿側中実軸部３Ｒの軸径３Ｄ以上に孔径ｄが大きいので、竿側中実軸部３は貫通孔５０を難なく通過する。続いて、貫通孔５０へ主軸部２を挿入することになるが、竿側中実軸部３Ｒと深穴２０との間に在る主軸部２に係る中実部分の軸径が、貫通孔５０の孔径ｄ以下に小さく設けられているので、この中実部分も貫通孔５０を難なく通過する。
【００２７】
そして、主軸部２に係る軸長手方向の中間部位２２における軸径２Ｄ１は、貫通孔５０の孔径ｄよりも大きくなるが、前記中実部分以外の主軸部２には深穴２０が形成されているので、深穴２０の穴幅２０Ｗが狭まるよう主軸部２を弾性変形させて、前記中実部分に接続する主軸部２の部分、さらに中間部位２２周りの軸径２Ｄ１を小さくすることができる(図８)。その結果、貫通孔５０へ主軸部２をそのまま挿入し続け、図９のごとく釣具本体５の貫通孔５０に主軸部２の略中間部位２２を挿着できる。と同時に、中間部位２２では圧縮曲げ変形で弾性変形した主軸部２が、その弾性復元力で貫通孔５０の壁面を押圧し、釣具本体５は該基軸部材１に係止一体化される。接着剤などの材料や工数のかかるネジ加工等をすることなく、釣糸７に本組合せ釣具を簡単に取付けることができる。
【００２８】
その一方で、この係止一体化に要した挿入力を越えて、釣具本体５から基軸部材１を逆方向に引き抜けば、釣具本体５を取り外すことができる。別の錘５Ｓや浮き５Ｆとの交換も可能になる。
【００２９】
このように、深穴２０を設け、弾性変形可能な樹脂製品の特徴を生かした主軸部２の弾性復元力の自律作用で、該基軸部材１に錘５Ｓや浮き５Ｆを、容易に且つ着脱自在に一体化固定できる。
【００３０】
基軸部材１と釣具本体５とを別体にしてセット商品にし、釣り人が好みに応じて組合せ釣具を組付け完成するようにすれば、特許文献１のような組立て作業コストも不要になる。
釣糸７を切ることなく交換可能できるメリットを有する。しかも、一本の基軸部材１と、貫通孔５０の孔径ｄを一致させた錘５Ｓや浮き５Ｆ等の釣具本体５を取り揃えるだけで、釣り場の状況に応じて錘５Ｓや浮き５Ｆ(図７〜図１１)、さらには複数の錘５Ｓや浮き５Ｆを組合せた好みの組合せ釣具(例えば図１１)にすることができ、頗る便利な組合せ釣具になっている。
【００３１】
そして、組合せ釣具は、両端末部分２６の表面に、切欠溝２７１で深穴２０側と中実軸部３側とをつなぐ凹み２７を形成する。したがって、図５,図６のように凹み２７に釣糸７が納まるようにして、弾性短筒体６に竿側中実軸部３を挿着すると、前記錘５Ｓを図７の状態から図１の主軸部２上への移動で、細長部分の軸部上を通過する際、釣糸７を押し潰し変形させることがない。本組合せ釣具は釣糸７を傷つけることが全くなく、錘５Ｓや浮き５Ｆの交換型釣具にして極めて優れものになっている。
【００３２】
さらに、組合せ釣具は、竿側中実軸部３Ｒの軸径３Ｄよりも主軸部２の軸径２Ｄの方を大きくして、中実軸部３から主軸部２へは段差を形成してつながる。したがって、中実軸部３に弾性短筒体６を装着しても、図６のごとく該弾性短筒体６の筒外径を貫通孔５０の孔径ｄ以下にできる。かくして、図６のように弾性短筒体６で釣糸７に基軸部材１を一度取付ければ、基軸部材１から弾性短筒体６を外すことなく、図７の状態から図１の状態へと、錘５Ｓや浮き５Ｆの交換が楽に行える。釣り人は錘５Ｓや浮き５Ｆの取付け,交換を迅速対応でき有益となる。
【００３３】
加えて、釣針側中実軸部３Ｈにつながる主軸部２の端部分２９（又は他端側中実軸部３Ｈ寄りの主軸部２）に、主軸部２の中間部位２２における軸径２Ｄ１よりも外径が大きな大径部分２８を設けているので、この部分を手で摘んで、基軸部材１へ釣具本体５を簡単に取付け、また基軸部材１から釣具本体５を簡単に取外しできる。大径部分２８が把持部になるだけでなく、該大径部分２８を釣針側に配して、基軸部材１を釣糸７に取付けて組合せ釣具とすると、万一、何らかの外力で釣具本体５が主軸部２から釣針側へ動くことがあっても、大径部分２８がストッパになって、釣具本体５が基軸部材１から外れることがない。接着に頼る特許文献１や特開平１１−１８６４９号の螺合構造のものは、接着力や螺合が弱まり被結合部材が動いて外れてしまうが、本組合せ釣具は被結合部材たる釣具本体５が基軸部材１から動いても、大径部分２８で釣具本体５が外れるのを阻止する。釣り人に釣具本体５を損失する経済的負担をかけず、また錘５Ｓや浮き５Ｆを海に落とし海を汚すこともない。
【００３４】
（２）実施形態２
本組合せ釣具は、図１２〜図１５ごとくの釣具本体５と基軸部材１とを固定一体化するものとなっている。図１２は基軸部材と釣具本体とを組付け一体化させた組合せ釣具の斜視図、図１３は実施形態１の基軸部材に代わる他態様の基軸部材の平面図、図１４は図１に対応する組合せ釣具の斜視図、図１５は図１４で用いた基軸部材の平面図である。
【００３５】
図１２で用いる基軸部材１は実施形態１のものと同じである。図１３の基軸部材１は図２〜図４の基軸部材１に代わる別態様品である。図２〜図４の基軸部材１では、竿側中実軸部３の基端に、軸長さＬ２で軸径２ｄ３が一定の先細部分２５と、該先細部分２５から主軸部２の中央に向けて長さＬ１のテーパ部分２４とを設けたが、図１３は竿側中実軸部３の基端から、主軸部２の中央に向けて長さＬ１のテーパ部分２４だけを設けた基軸部材１とする。竿側中実軸部３の基端に結合する側のテーパ部分２４の領域に、深穴２０の溝端が入り込むが、この溝端でのテーパ部分２４の軸径は、貫通孔５０の孔径ｄ以下に設定される。好ましくは貫通孔５０の孔径ｄよりも小さく設定される。テーパ部分２４が円滑に貫通孔５０を貫通して、主軸部２に釣具本体５を取付けられるからである。他の基軸部材１の構成は、図１〜図８での説明と同様で、その説明を省く。
【００３６】
図１５の基軸部材１は、実施形態１と同様、中央に主軸部２を配して、該主軸部２の両端に、先端へ向けて先細りの中実軸部３を延設した樹脂製軸状体とする。且つ主軸部２に、その外周面２１から半径方向に深穴２０が形成され、さらに深穴２０が主軸部２の軸長手方向に沿って溝状に形成される。
しかし、基軸部材１に釣具本体５を係止一体化し固定するため、基軸部材１には切欠溝２７１,凹み２７、さらに大径部分２８を設けていない。また、基軸本体に錘５Ｓや浮き５Ｆの交換取付けがないため、一端側中実軸部３Ｒの軸径３Ｄよりも前記主軸部２の軸径２Ｄの方を大きくし、該中実軸部３から段差を形成して該主軸部２へつながるような構成ではない。主軸部２の両端からなだらかに先端へ向けて先細りの中実軸部３が延設する。深穴２０の端が先端に向け先細りの中実軸部３まで至っている。尚、竿側中実軸部３Ｒと深穴２０との間に主軸部２に係る中実部分が存在する場合、該中実部分の軸径は貫通孔５０の孔径ｄ以下に小さく設けられる。
【００３７】
釣具本体５たる浮き５Ｆは、図１２,図１４のような中空卵形状の浮き５Ｆである。本体主部に、竿側中実軸部３Ｒの軸径３Ｄ以上に孔径ｄを大きくし、且つ主軸部２に係る軸長手方向の中間部位２２における軸径２Ｄ１よりも孔径ｄを小さくした貫通孔５０が設けられる。さらに外周面５１から貫通孔５０に達する割り溝５２が設けられる。
【００３８】
本実施形態は、実施形態１に比べ、主軸部２に係る軸長手方向の中間部位２２における軸径２Ｄ１よりも貫通孔５０の孔径ｄをより一層小さくする。そして、貫通孔５０へ前記基軸部材１を一端側中実軸部３Ｒから挿入し、深穴２０の穴幅２０Ｗが狭まるよう強力に圧入して、中間部位２２における当初軸径２Ｄ１を貫通孔５０の孔径ｄに等しくする軸径２Ｄ２にまでより小さく弾性変形させることにより、主軸部２を釣具本体５に挿着する(図１２,図１４)。と同時に、この挿着に伴い、主軸部２が弾性復元して、該釣具本体５に該基軸部材１が係止一体化される構成とする。主軸部２を軸径２Ｄ２にまでより小さく弾性変形させているので、主軸部２の弾性復元力も大になり、基軸部材１に釣具本体５をより強力に係止一体化させる。多少の外力が加わっても基軸部材１から釣具本体５が動かず、両者が固定一体化される。この基軸部材１と釣具本体５が一体化した図１２や図１４の形での釣具商品とする。他の構成は、実施形態１と同様で、その説明を省く。実施形態１と同一符号は同一又は相当部分を示す。
【００３９】
このように構成した組合せ釣具は、実施形態１のように釣具本体５に基軸部材１が着脱自在に係止一体化できる特長を発揮できない。しかし、基軸部材１に釣具本体５を固定する組合せ釣具商品になるので、釣り人とっては基軸部材１に釣具本体５を組付ける手間がいらなくなる。組付ける作業から解放され、実施形態１にない新たな効果を発揮する。他の効果は、実施形態１と同様であり、その説明を省く。
【００４０】
尚、本発明においては前記実施形態に示すものに限られず、目的,用途に応じて本発明の範囲で種々変更できる。基軸部材１,釣具本体５,錘５Ｓ,浮き５Ｆ等の形状,大きさ,個数,材質等は用途に合わせて適宜選択できる。例えば、実施形態１の分割浮き５Ｆに代え実施形態２の卵形浮き５Ｆ等にすることができる。実施形態２は釣具本体５に浮き５Ｆを用いたが、これに代え錘５Ｓ等にすることもできる。
【符号の説明】
【００４１】
１            基軸部材
２            主軸部
２０          深穴
２０Ｗ        穴幅
２１          外周面（主軸部の外周面）
２２          中間部位
２６          端末部分
２７          凹み
２７１        切欠溝
２８          大径部分
２９          端部分
２Ｄ          軸外径
２Ｄ１          中間部位における軸外径
３            中実軸部
３Ｄ          中実軸部の軸外径
３Ｒ          一端側中実軸部（竿側中実軸部）
３Ｈ          他端側中実軸部（釣針側中実軸部）
３１          基端部分
５            釣具本体
５０          貫通孔
５１          外周面（釣具本体の外周面）
５２          割り溝
ｄ            孔径（貫通孔の孔径）
【図１】
2012115147.tif 000003
【図２】
2012115147.tif 000004
【図３】
2012115147.tif 000005
【図４】
2012115147.tif 000006
【図５】
2012115147.tif 000007
【図６】
2012115147.tif 000008
【図７】
2012115147.tif 000009
【図８】
2012115147.tif 000010
【図９】
2012115147.tif 000011
【図１０】
2012115147.tif 000012
【図１１】
2012115147.tif 000013
【図１２】
2012115147.tif 000014
【図１３】
2012115147.tif 000015
【図１４】
2012115147.tif 000016
【図１５】
2012115147.tif 000017
【図１６】
2012115147.tif 000018